(57)【要約】【目的】高設栽培用培地の排水効率を高めることにより、根圏部の過湿防止を行うと共に、過剰給液時の管理を容易なものとする。【構成】この高設栽培用培地１０を受けるシート２は、図１に示したように、透水性シート３と下層の非透水性シート４からなり、この非透水性シート４のシート巾Ｗ４の中心部を下方に弛ませるように、前記透水性シート３の長手方向の両端部３０、３０を前記非透水性シート４の長手方向に沿って固着して構成されている。このような構成のシート２を前記高設栽培装置１に組込めば、前記透水性シート３と前記非透水性シート４間に空間５が形成される。この空間５により、前記培地１０に供給される養液等は、前記透水性シート３と非透水性シート４間に留まることなく非透水性シート４の中心部４０に集められるので、培地１０内のイチゴの根圏部を過湿から保護することができる。【選択図】        図１
2005000008.tif 000002
【特許請求の範囲】
【請求項１】
イチゴの高設栽培用培地を受けるシートであって、透水性シートと、その下層の非透水性シートからなり、前記非透水性シートのシート巾の中心部を下方に弛ませるように、前記透水性シートを前記非透水性シートの長手方向に沿って固着したことを特徴とするシート。
【請求項２】
前記非透水性シートが、前記透水性シートの両端部の固着部分より長くなるように成形されていることを特徴とする請求項１に記載のシート。
【請求項３】
請求項２のシートをその長手方向で保持する左右の保持パイプと、これらのパイプを定間隔で垂直方向に支持するパイプの取り合い部に、Ｔ型ジョイントを利用することを特徴とするイチゴの高設栽培装置。
【請求項４】
前記垂直方向に支持するパイプを利用して、断面が溝形に成形された鋼材を前記保持パイプと略平行に取付け、山形に成形されたバネで前記溝形部に前記非透水シートを固定したことを特徴とする請求項３に記載のイチゴの高設栽培装置。
【発明の詳細な説明】
【０００１】
【発明の属する技術分野】
本発明は、農業分野でのイチゴの高設栽培に用いるシート及びそのシートを用いた高設栽培装置に関するものである。
【０００２】
【従来の技術】
一般に、イチゴの高設栽培装置は、栽培用培地を受けるシート部分が二重構造をなし、上層が透水性シートで、下層が非透水性シートで形成され、その非透水性シートの中心部にはＵ字形の排水用の溝が設けられている（例えば、特許文献１参照）。
前記透水性シートは、前記溝に培地が直接入り込まないようにしたり、前記溝に伸長する植物の根が入り込まないようにするものである。
【０００３】
【特許文献１】
特開平８−１０７７２３号公報（図５、段落００１５）
【０００４】
この特許文献１に言及するところではないが、図５のように、培地１００の上部には給液ホース１１０が敷設される。そして、前記非透水性シート２００の固定は、その両端部に長手方向に平行して取付けられる２本のパイプ３００、３００を利用して、固定具３１０等で保持される。さらに前記パイプ３００、３００を一定間隔で垂直に支持する支持パイプ４００、４００が設けられている。それらの上端部は、少なくとも、前記パイプ３００の上面より高く突き出るように取付けられ、その突き出た部分を利用して、前記支持パイプ４００，４００の開き防止用のサポート５００が取り付けられる。
このため、前記保持用のパイプ３００、３００に保持される前記非透水性シート２００は、前記支持パイプ４００、４００とのジョイント部で干渉するが、この部分はシート２００側を現場で切り込み加工され、回避される。
【０００５】
【発明が解決しようとする課題】
上記従来技術によるイチゴの高設栽培装置の課題は、次の通りである。
（１）  前記非透水性シート２００の上に透水性シート６００が重なり合った状態で敷設されるが、このため、給液ホース１１０から給液された養液が培地１００を通過して排水溝２１０に到達するまでの経路において、一旦給液を開始すると、養液は培地１００上部より拡散しながら培地１００の底部へと流れるが、その時上層の透水性シート６００の側面に達した養液は密着した下層の非透水性シート２００を伝い、中央部の排水溝２１０まで連続して流れ込む。
このような状態で給液を停止しても、少量ではあるが、培地１００内の養液が透水性シート６００の側面を経て下層の前記シート２００の面を伝って排水溝２１０に流れ込み、養液等の切れが悪かった。
このため、培地１００の底部は常に過湿状態にとなり、イチゴの根圏部の酸素不足による生育不足や過湿による病害の発生要因となっていた。
【０００６】
（２）  養液の切れが悪いことは、培地に保水されるべき養液の必要量以外の養液も保水されることに通じ、給液と排液の比率が不正確となり、給液管理が困難であった。
（３）  非透水性シート２００の排水溝２１０は、Ｕ字形を形成するため、長手方向に一定間隔で部分的に接合されているが、この接合部分に培地１００の素材となる小さなゴミや残根と、排水に発生する藻が詰まることが多かった。
また、このＵ字型の溝２１０全体に渡っては、イチゴの根が養液を求めて集中することになり、排水性がより低下するため、イチゴの生育環境を悪化させていた。
【０００７】
（４）  培地１００と透水性シート６００を受ける非透水性シート２００の固定は、上述のようにシート２００の両端部が前記シート保持パイプ３００に固定具３１０等で挟み込むように固定されるが、この方法では、ハウス内の温度変化や紫外線による影響で保持具３１０の劣化が早く、保持力の低下により、培地１００と養液等の自重に対して長期間の保持は難しく、一年程度で固定具３１０の交換が必要になっていた。
そして、ハウス内の紫外線による劣化の影響は、高設栽培装置の外側である、非透水性シート面にも及んでいた。
【０００８】
（５）  作業性においては、２本の前記シート保持パイプ３００、３００を支持するジョイント部において、前記パイプ３００、３００の上面より高い位置に突き出る支持パイプ４００、４００及びサポート５００の構造は、非透水性シート２００を敷設する時の障害となっていた。
前記シート２００を固定するために干渉部で切り込み加工して巻き込み固定が必要とされるので、現場から作業改善が強く求められていた。
【０００９】
【課題を解決するための手段】
本発明は上記課題を解決するためになされたもので、透水性シートと、その下層の非透水性シートからなり、前記非透水性シートのシート巾の中心部を下方に弛ませるように、前記透水性シートを前記非透水性シートの長手方向に沿って、固着したことを特徴とするイチゴの高設栽培用培地を受けるシートとした（請求項１に記載の発明）。
ここで、前記透水性シートと前記非透水性シートを、それぞれの長手方向において接合する場合の位置は、前記非透水性シートと透水性シートの長手方向の両端部でもよいし、端部に限定せず、その長手方向中間でもよい。
このシートによれば、シート上層の透水性シートと下層の非透水性シートとの間に空間が形成される。
よって培地上方の給液ホースから給液される養液は、培地で必要量吸収された後、素早く水切りが出来、さらに下層の非透水性シート底部全体が排水溝の役割を果たすことにより、培地の小さなゴミや、排水に発生する藻などの詰まりも解消され、効率良く排水が行われる。
また、培地内の根圏部が常に過湿状態となることを防止できると共に、誤って過剰給液した場合でも、培地に保水される養液の必要量以外は素早く排水される。このことは給液と排液の比率がより正確に把握できることを意味し、給液管理が適確にできる。
【００１０】
また、このシートは、上層が透水性シートで下層が非透水性シートからなる二層構造の一体化されたシート構造であるので、イチゴの高設栽培装置の施工時において、従来のシート敷設の手間を半減することができ、組立ての作業性がよく、コストも低減化も図られる。
【００１１】
上記発明において、非透水性シートが、前記透水性シートの両端部の固着部分より長くなるように成形されていることを特徴とする（請求項２に記載の発明）。
この下層となる非透水性シート側の巾が長く一体成形されたシートは、巾方向においてのその長さを、例えばイチゴの高設栽培装置を構成する２本のシート保持パイプの上面より下方向に垂らすことができる状態までとした場合、収容される培地により、逆放物線状に形成される非透水性シートの中心部分の底部よりやや長い値にすることができる。
これにより、非透水性シートの逆放物線状のシート部分に当たる紫外線を遮断することができる。
【００１２】
上記課題を解決するため、前記シートをその長手方向で保持する左右の保持パイプと、これらのパイプを定間隔で垂直方向に支持するパイプの取り合い部に、Ｔ型ジョイントを利用することを特徴とするイチゴの高設栽培装置とした（請求項３に記載の発明）。
この発明によれば、平行して取付けられる２本のシート保持パイプと定間隔で垂直方向に支持する支持パイプのジョイント部において、その支持パイプ上端部が２本のシート保持パイプ上面より突起することがないため、培地を受けるシート敷設時にシート両端部は干渉物が回避され、切り込みも不要となる。
【００１３】
上記発明において、前記垂直方向に支持するパイプを利用して、断面が溝形に成形された鋼材を前記保持パイプと略平行に取付け、山形に成形されたバネで前記溝形部に前記非透水シートを固定したことを特徴とするイチゴの高設栽培装置とした（請求項４に記載の発明）。
このイチゴの高設栽培装置によれば、下層となる非透水性シート側の巾が長く一体成形されたシートの両端部を利用して、非透水性シートの長手方向に連続してシートを固定することができ、シート保持パイプ側のシート固定具等の保持力が低下しても、シートがズレ落ちることがない。
【００１４】
【発明の実施の形態】
本発明に係るイチゴの高設栽培装置１は、図１に示したように、人が立ち姿でイチゴの収穫作業が行える高さに培地１０が位置する栽培装置である。
この高設栽培用培地１０を受けるシート２は、図１及び図２に示したように、透水性シート３と下層の非透水性シート４からなり、この非透水性シート４のシート巾Ｗ４の中心部を下方に弛ませるように、前記透水性シート３の長手方向の両端部３０、３０を前記非透水性シート４の長手方向に沿って固着して構成されている。
【００１５】
このような構成のシート２を前記高設栽培装置１に組込めば、図１に示したように前記透水性シート３と前記非透水性シート４間に空間５が形成される。
この空間５は、前記透水性シート３の両端部３０、３０から形成され始め、除除にそのスペースを広げ、前記透水性シート３及び非透水性シート４のシート巾の中心部４０で最大のスペースが形成される。
よって、前記培地１０に供給される養液等は、前記透水性シート３と非透水性シート４間に留まることなく、非透水性シート４の中心部４０に集められるので、培地１０内のイチゴの根圏部を過湿から保護することができる。
このように養液等の液体の切れが良いことは、培地１０に保水される養液量と、それ以外の排水量の比、即ち、給液と排液の比率がより正確に把握できることを意味し、的確な給液管理が可能となり、イチゴの育成管理が容易となる。
また、前記培地１０を受ける一体化されたシート２は、シート２を敷設する手間を半減することができる。
さらに、前記空間５に空気が流通したり、前記空間５を介して外から内に熱が伝達されることで、培地１０の温度制御も可能となる。例えば、前記高設栽培装置１をハウス内に設置した場合に、そのハウス内の温度を直接、培地１０に作用させることができる。
【００１６】
前記透水性シート３は、液体を通過させる構造であればどのようなものでもよく、細孔を設けた合成樹脂、ネット状のものでもよい。
一方、前記非透水性シート４は、液体を通過させない構造であればどのようなものでもよく、典型的にはポリエチレン等の合成樹脂を用いる。
なお、前記非水性シート４に対する前記透水性シート３の固着方法は、接着でもよく、また溶着でもよい。
【００１７】
次に、図２及び図３に基いて前記シート２の具体的な構成例を説明する。
前記透水性シート３の巾Ｗ３は、前記シート２の長手方向に略平行状に取付けられる２本のシート保持パイプ６，６（図１参照）の間隔ＰＷと、透水性シート３の弛みＨ１から求められる。
一方、前記非透水性シート４の巾Ｗ４は、非透水性シート４の弛みＨ２と、前記間隔ＰＷと、遮光部Ｈ３（詳細は後述）の長さを加えた長さである。
具体例として、シート保持パイプ６の間隔ＰＷは２５０ｍｍ〜３００ｍｍ、透水性シートの弛みＨ１は１５０ｍｍ〜２００ｍｍ、非透水性シートの弛みＨ２は８０ｍｍ〜１００ｍｍで、遮光部Ｈ３は２５０ｍｍ〜３５０ｍｍであることが望ましい。
【００１８】
次に、前記シート２を用いたイチゴの高設栽培装置１の構成例及び組立例を説明する。
図１に示したように、一体化されたシート２を受けるシート保持パイプ６，６とそれを支える垂直支持パイプ７、７は、一定間隔に土中に規定の深さで埋設された前記パイプ７、７の上端部と前記保持パイプ６，６を、それぞれでＴ型ジョイント８、８で接続して構成される。
また前記パイプ７，７の沈み込みを防止のため、沈下防止サポート９が取付けられ、さらに前記パイプ７，７の開き防止として、サポート９０が非透水性シート４のたるみの底部よりやや下となる位置に取付けられる。
そして、前記パイプ７，７の横方向の倒れ防止として数箇所おきにクロスサポート９１が取付けられる。
さらに前記パイプ７，７の脚部両側には、非透水性シート４の弛みの底部よりやや上となる位置に、断面が溝型に成形された鋼材６０が、長手方向に取付けられる。
【００１９】
次に、培地１０を受ける一体化されたシート２を、前記保持パイプ６，６の上に敷設して、前記透水性シート３の両端部３０、３０（シート接合部）を一定間隔でコの字形の固定具６１、６１・・・により前記保持パイプ６，６に嵌め込んで固定する。
次に、図１のＡ部を詳細に図示した図４のように、前記シート２の遮光部Ｈ３となる部分の固定は、前記鋼材６０の位置で、前記シート２の上から山形に形成されたバネ６２を、断面が溝型に成形された前記鋼材６０の溝に嵌め込むことで固定される。
【００２０】
この非透水性シート４側の巾が長く一体成形されたシート２は、巾方向においてのその長さを、前記高設栽培装置の保持パイプ６，６の上面より下方向に垂らすことができる状態までとし、収容される培地１０により非透水性シート４の中心部分４０の逆放物線状に形成される底部よりやや長い値にしている。
これにより、非透水性シート４の前記逆放物線状のシート部分に当たる紫外線を遮断することができる。
【００２１】
前記実施形態では、イチゴの高設栽培装置について説明したが、その他の果実、野菜の高設栽培に用いてもよい。
【００２２】
【発明の効果】
本発明によると、培地内のイチゴの根圏部を過湿から保護することができると共に、的確な給液管理が可能となり、イチゴの育成管理が容易となる。又、培地を受ける一体化されたシートは、シートを敷設する手間を半減することができる。
【図面の簡単な説明】
【図１】イチゴの高設栽培装置の斜視図、
【図２】同装置に使用されるシートの側面図、
【図３】同装置の側面図、
【図４】同装置の要部説明図、
【図５】従来の高設栽培装置の斜視図。
【符号の説明】
１  高設栽培装置                    １０  培地
２  シート
３  透水性シート                    ３０  接合部（両端部）
４  非透水性シート                  ４０  中心部
５  空間部                          ６  シート保持パイプ
６０  鋼材
６１  固定具                        ６２  バネ
７  垂直支持パイプ                  ８  Ｔ型ジョイント
９  沈下防止サポート                ９０  サポート
９１  クロスサポート
【図１】
2005000008.tif 000003
【図２】
2005000008.tif 000004
【図３】
2005000008.tif 000005
【図４】
2005000008.tif 000006
【図５】
2005000008.tif 000007